(57)【要約】      （修正有）【課題】賦香製品について、それを配置する空間の広さや間取りに応じて、ユーザーに賦香製品の香りの強さの分布を視覚情報として表示する。【解決手段】表示デバイスにおける表示方法は、処理部が、建物内の区画情報上に、賦香製品の香り指数に基づく、香りの認知可能範囲を表示する工程を含む。【選択図】図９
2020071748.tif 000002
【特許請求の範囲】
【請求項１】
表示デバイスにおいて、処理部が、建物内の区画情報上に、賦香製品の香り指数に基づく、香りの認知可能範囲を表示する工程を含む、表示方法。
【請求項２】
前記香りの認知可能範囲が、賦香製品から揮散される香りの強さを示す賦香指数に応じた範囲として表示され、前記賦香指数は、前記賦香製品の香り指数と、香気情報と、前記賦香製品を配置する前記建物内の空間情報に基づいて決定される、請求項１に記載の表示方法。
【請求項３】
前記香り指数が下式によって算出される、請求項１又は２に記載の表示方法：
［数１］
香り指数＝１０×ＬｏｇＸ
Ｘ：賦香製品の香りを認知閾値未満になるまで無臭空気で希釈したときの希釈倍率（香気濃度）。
【請求項４】
前記賦香指数に応じた範囲が、同じ賦香指数で張られた等値線で示される、請求項１から３のいずれか一項に記載の表示方法。
【請求項５】
前記認知可能範囲が賦香指数に応じた色の濃さで着色される、請求項１から４のいずれか一項に記載の表示方法。
【請求項６】
前記賦香指数に応じた範囲が時系列の推移で示される、請求項１から５のいずれか一項に記載の表示方法。
【請求項７】
前記賦香製品が、前記賦香指数に応じた範囲と、消臭効果を示す消臭指数の範囲が、１つの表示方法に識別可能に表示される、請求項１から６のいずれか一項に記載の表示方法。
【請求項８】
建物内の区画情報上に、賦香製品の香り指数に基づく、香りの認知可能範囲を表示する表示デバイス。
【請求項９】
建物内の区画情報上に、賦香製品の香り指数に基づく、香りの認知可能範囲を表示するためのデータを生成する処理デバイスと、
前記区画情報上に、香りの認知可能範囲を表示する表示デバイス
を備える、表示システム。
【発明の詳細な説明】
【技術分野】
【０００１】
本発明は、賦香製品の香りの強さの表示方法、賦香製品の香りの強さを表示するための表示デバイス及び賦香製品の香りの強さを表示するための表示システムに関する。
【背景技術】
【０００２】
ドラッグストアなどの店頭にはルーム用芳香剤を始めとする多くの賦香製品が陳列されているが、従来その選択は、ユーザーが賦香製品の香りを直接嗅いで香りの種類や強さを指標として行われているのが一般的である。しかし、ユーザーが賦香製品を使用する屋内の広さや間取りは、ユーザー毎に様々であり、またユーザーが希望する香りの強度もユーザー毎に様々である。このため、賦香製品を購入する際に、それを配置する屋内の広さや間取りに応じて、あらかじめ所定の強度の香りを有する賦香製品を選択することができると、期待通りの芳香効果を持続的に得ることができるため好ましいと考えられる。
【０００３】
従来、消臭効果のビジュアルプレゼンテーション方法として、商品の消臭効果を真正または擬似的に提示する方法は知られているものの（特許文献１）、真の賦香製品について、それを配置する空間の間取りに応じて、ユーザーに所望の香り強度を有する賦香製品を選択させるための方法は知られていない。
【先行技術文献】
【特許文献】
【０００４】
【特許文献１】特開２０１５−２０２２５３号公報
【発明の概要】
【発明が解決しようとする課題】
【０００５】
本発明は上記課題に鑑みて開発されたものであり、真の賦香製品について、それを配置する空間の広さや間取りに応じて、ユーザーに賦香製品の香りの強さの分布を視覚情報として表示する方法を提供することを課題とする。
【課題を解決するための手段】
【０００６】
本発明者らは、上記課題を解決すべく鋭意検討を重ねていたところ、賦香製品そのものの「香り指数」とそれを配置する建物の「空間情報」に基づいて算出される賦香製品に関する賦香指数を、空間情報上に表示する方法を見出した。
【０００７】
本発明はかかる知見に基づいてさらに研究を重ねて完成したものであり、下記の実施形態を有するものである。
【０００８】
（Ｉ）表示方法
（Ｉ−１）表示デバイスにおいて、処理部が、建物内の区画情報上に、香り指数に基づく、香りの認知可能範囲を表示する工程を含む、表示方法。
（Ｉ−２）前記香りの認知可能範囲が、賦香製品から揮散される香りの強さを示す賦香指数に応じた範囲として表示され、前記賦香指数は、前記賦香製品の香り指数と、香気情報と、前記賦香製品を配置する前記建物内の空間情報に基づいて決定される、Ｉ−１に記載の表示方法。
（Ｉ−３）前記香り指数が下式によって算出される、Ｉ−１又はＩ−２に記載の表示方法：
［数１］
香り指数＝１０×ＬｏｇＸ
Ｘ：賦香製品の香りを認知閾値未満になるまで無臭空気で希釈したときの希釈倍率（香気濃度）。
（Ｉ−４）前記賦香指数に応じた範囲が、同じ賦香指数で張られた等値線で示される、Ｉ−１からＩ−３のいずれか一項に記載の表示方法。
（Ｉ−５）前記認知可能範囲が賦香指数に応じた色の濃さで着色される、Ｉ−１からＩ−４のいずれか一項に記載の表示方法。
（Ｉ−６）前記賦香指数に応じた範囲が時系列の推移で示される、Ｉ−１からＩ−５のいずれか一項に記載の表示方法。
（Ｉ−７）前記賦香製品が、前記賦香指数に応じた範囲と、消臭効果を示す消臭指数の範囲が、１つの表示方法に識別可能に表示される、Ｉ−１からＩ−６のいずれか一項に記載の表示方法。
（ＩＩ）表示デバイス
建物内の区画情報上に、賦香製品の香り指数に基づく、香りの認知可能範囲を表示する表示デバイス。
（ＩＩＩ）表示システム
建物内の区画情報上に、賦香製品の香り指数に基づく、香りの認知可能範囲を表示するためのデータを生成する処理デバイスと、前記区画情報上に、香りの認知可能範囲を表示する表示デバイスを備える、表示システム。
【発明の効果】
【０００９】
本発明の表示方法によれば、ユーザーに視覚情報として香りの強さの分布を提示することができる。
【図面の簡単な説明】
【００１０】
【図１】空間情報の一例（平面図の例）を示す。
【図２】空間情報の一例（立体図の例）を示す。
【図３】賦香指数の分布の例を示す。
【図４】賦香指数に応じた範囲の表示例を示す。
【図５】賦香指数に応じた範囲の表示例を示す。
【図６】賦香指数に応じた範囲の表示例を示す。
【図７】表示システムの構成例を示す。
【図８】表示デバイス及び処理デバイスのハードウェアの構成例を示す。
【図９】表示システムの動作の例を示すフローチャートである。
【図１０】表示デバイスの動作の例を示すフローチャートである。
【発明を実施するための形態】
【００１１】
１．表示方法
本発明のある実施形態は、表示デバイスにおいて、処理部が、建物内の区画情報上に、賦香製品の香り指数に基づく、香りの認知可能範囲を表示する表示方法に関する。表示デバイスにおける表示は、賦香製品を宣伝または広告するために広くユーザー（賦香製品の消費者、顧客、購買者を含む）に対して行われる。好ましくは、賦香製品を取得しようとする者に対して行われる。
【００１２】
賦香製品とは、１種または２種以上の賦香製品用香料組成物を含有し、これらの香料成分を大気中に揮散することで香りを発する製品を意味する。具体的には、建物内の空間に香りを揮散させるために、建物内に配置または噴霧して用いられる芳香剤のほか、ハウスホールド製品（洗剤、柔軟仕上げ剤、クリーナー、ワックスなど）、トイレタリー製品（石鹸、シャンプー、入浴剤）、化粧品（皮膚用、頭髪用、メーキャップ用）、及びファインフレグランス製品（香水、オードトワレ、オードパルファンなど）を例示することができる。好ましくは芳香剤である。芳香剤は、その使用する建物内の場所に応じて、部屋用、トイレ用、台所用、シューズボックス用、クローゼット用等があり、制限されないものの、好ましくは部屋用芳香剤である。その形態は特に制限されず、例えば配置型（置き型）、プラグインタイプ、スプレー型、吊り下げ型等を例示することができるが、好ましくは配置型（置き型）である。配置型には液体タイプ、固体タイプ、ゲルタイプ、ビーズタイプ、メンブレンタイプ等があるが、いずれであってもよい。
【００１３】
賦香製品用香料組成物は、前述する賦香製品に担持させる香料組成物である。言い換えれば、賦香製品用香料組成物は、賦香製品を調製するために使用される香料組成物である。当該香料組成物は、単一の香料成分が任意の希釈媒体に溶解または分散されてなるものであってもよいが、通常は２種以上の香料成分が任意に組み合わされて希釈媒体に溶解または分散されてなるものである。
【００１４】
本実施形態において、建物は、ヒトが出入りする建築物である限り制限されない。好ましくは、建物は、商業用建築物又は住宅建築物である。より好ましくは、建物は、一戸建て住宅、集合住宅（マンション、アパート、長屋等を含む）等の住宅用建築物である。建物は、１又は複数の区画を含んでいてもよい。１つの区画は、他の区画と壁、ドア、引き戸、襖等で完全、又は不完全に仕切られていていてもよいが、仕切りはなくてもよい。また、前記仕切りは、カウンター、パーティション、カーテン、家具等であってもよい。区画は、部屋、キッチン、バスルーム、トイレ、洗面所、廊下、階段、玄関、押し入れ、クローゼット等を含みうる。これらの建物内の区画は「間取り」と言い換えることもでき、区画の配置は「間取り図」によって表現することができる。
【００１５】
建物内の空間情報（以下、単に「空間情報」ともいう）には、建物内の区画の間取り等の１又は複数の区画情報を含む。空間情報は、建物内部全体の情報であってもよく、建物内部の一部の情報であってもよい。空間情報には、少なくとも、前記区画情報の他、空気流入箇所と空気流出箇所の位置情報を含む。また空間情報には、空間温度（気温、室温）、及び喚起回数を含めることができる。図１に空間情報の例として区画情報を示す。図１は、住宅用建築物の間取りを示す平面図である。図１には、玄関Ｅと、廊下Ｐと、階段Ｓと、浴室ＢＲと、洗面所ＷＲと、トイレＲＲと、キッチンＫと、リビングダイニングＬＤと、和室Ｒが示されている。また図１において符号Ｃは押し入れ又はクローゼット、符号Ｗは窓等を示し、符号Ｄはドアを示す。符号Ｄ１及びＤ２は出入り口を示す。キッチンＫには排気口ＤＣが設けられている。符号２は、賦香製品の配置位置を示す。賦香製品は、区画情報内のいずれかの区画に配置される。空気流入箇所は、窓Ｗ及びドアＤであってもよく、吸気口等であってもよい。空気流出箇所は、窓Ｗ、ドアＤ、及び排気口ＤＣ等であってもよい。図１は、ＩＢＥＣ  建築省エネルギー機構（一般財団法人  建築環境・省エネルギー機構）より提供される平面図であるが、区画情報はこれに制限されない。図１では住宅建築物の１つのフロアを平面図で表しているが、区画情報は、このような図面に限定されない。例えば、図２に例示するように、区画情報は、建物内の区画の間取りを立体的な見取り図で示してもよい。区画情報として好ましくは、間取り図である。
【００１６】
空間情報は、複数準備され、例えば、複数の空間情報の中からユーザーが賦香製品を配置したいと考える空間を反映した区画情報を選択してもよい。ユーザーが自ら準備した区画情報を用いることもできる。
賦香製品が揮散する香りの強さは、香り指数で表すことができる。賦香製品は、製品ごとに決められた香り指数を有するように調整される。
香り指数は、下式により求めることができる：
【００１７】
［数１］
香り指数＝１０×ＬｏｇＸ
【００１８】
ここで「Ｘ」は、被験香料組成物を担持させた賦香製品から揮散される香りを、人間の嗅覚で認知することができなくなるまで（認知閾値未満になるまで）無臭空気で薄めたときの希釈倍率を意味する。つまり、「香り指数」は、賦香製品から揮散される香りを、人間の嗅覚で認知することができなくなるまで無臭空気で薄めたときの希釈倍率（香気濃度）を求め、その常用対数に１０を乗じた値を意味する。例えば、賦香製品から揮散される香りを１００倍に希釈して香りが認知できなくなった場合、希釈倍率（香気濃度）は１００、香り指数は２０となる。香りの強さは香気成分の濃度の対数に比例するため、「香り指数」は人間の感覚量に対応した尺度になる。つまり、「香り指数」１０と２０では希釈倍率（香気濃度）は１０倍相違するものの、香りの強さとしては、１段階程度違うように感じられる。「香り指数」は、香りの種類によらず、また個人差（香りに対する嗜好差）が少なく測定できるため、香料組成物の組成（種類）や賦香製品のユーザーを不特定とする本発明の方法に適した好適な指標である。
【００１９】
前記希釈倍率（香気濃度）は、測定対象のにおいを無臭空気で希釈して希釈倍率（香気濃度）を求める方法として慣用的に使用されている官能検査法により求めることができる。かかる官能検査法としては、例えばオルファクトメーター法、及び三点比較式臭袋法を例示することができる。三点比較式臭袋法は、賦香製品から揮散される香りを無臭空気で希釈した空気（希釈空気）を入れた袋１個と、無臭空気を入れた袋２個のにおいをパネルに嗅いでもらい、においのある袋を選択してもらうことで実施される。具体的には、最初は香りの濃度を高くしておき、パネル全員が正解するようにし、次に３倍希釈してこの作業を繰り返し、においのある袋を正しく選択できなくなるまで行い、不正解になったときの希釈倍率から香気濃度を求める方法である。オルファクトメーター法は、賦香製品から揮散される香りを無臭空気で希釈した空気（希釈空気）と無臭空気とを比較し、においのある方を選択するのは、先の三点比較式臭袋法と同じであるが、最初に誰もがにおいを感知できないほど、香りを希釈しておき、１．６倍ずつ濃度を高くして正しく検知できたときの希釈倍率から香気濃度を求める方法である。希釈空気の調製に関して、三点比較式臭袋法は、賦香製品から揮散される香りを、ポリエステル製のバッグ（におい袋）とガラス製注射器を用いて手作業で希釈して調製する方法であるのに対して、オルファクトメーター法は、コンプレッサーやフローコントローラー等から構成される希釈装置（オルファクトメーター）により連続的に希釈して調製する方法であるため、手希釈による三点比較式臭袋法と比較して測定精度（再現性）が高いという利点がある。このため、「香り指数」は、オルファクトメーターを用いたオルファクトメーター法により求めた希釈倍率（香気濃度）に基づいて算出することが好ましい。なお、制限されないものの、オルファクトメーターとして、島津製作所社製のにおい識別装置ＦＦ−２０２０（ＦＦ−２０２０  Ｓシステム）に搭載されているにおい希釈混合装置（ＦＤＬ−１）を例示することができる。なお、使用される無臭空気は、三点比較式臭袋法及びオルファクトメーター法のいずれも定法に従って例えば活性炭を通して臭い成分を除去した空気を用いることができる。
【００２０】
なお、希釈倍率（香気濃度）は、前述する官能検査法に代えて、例えば前述する島津製作所社製のにおい識別装置等のように分析機器を用いて求めることもできる。におい識別装置は、人間の官能評価と同じようににおいの質と強さを表現できる装置である。これを用いることにより、においの強さや質を数値化することができるため、人間の官能評価に代えて客観的に、被験賦香製品用香料組成物を担持させた賦香製品から揮散される香りについて、人間の嗅覚で認知することができなくなる閾値（認知閾値）を決定することができる。つまり、当該におい識別装置等を用いた機器分析手法によって算出される認知閾値を下回るまで、被験香料組成物を担持させた賦香製品から揮散される香りを無臭空気で薄めることで、希釈倍率（Ｘ）を算出することができ、当該希釈倍率（Ｘ）から前記式にあてはめて香り指数を求めることができる。
【００２１】
以上のことから、本発明における「認知閾値未満になるまで」でいう「認知閾値」は前述する官能検査法によって求められる閾値であってもよいし、前述する機器分析手法によって求められる閾値でもよい。好ましくは官能検査法によって求められる閾値であり、より好ましくはオルファクトメーター法によって求められる閾値である。
【００２２】
斯くして求められた賦香製品の香り指数は、必要に応じて、パーソナルコンピュータ１０の入力部１１１に入力することで、被験香料組成物を担持させた賦香製品について「香り指数」を用意することができる。
【００２３】
香り指数は、賦香製品の香り指数に基づく、香りの認知可能範囲として、表示デバイス等に表示され得る。好ましくは、前記香りの認知可能範囲は、賦香製品から揮散される香りの強さを示す賦香指数に応じた範囲として表示される。
【００２４】
ここで賦香指数は、賦香製品を建物内部に配置した場合に、当該賦香製品から建物内の空間（大気中）に揮散された香りの強さ（例えば、希釈、又は濃縮された香料組成物の単位容積あたりの存在量、若しくは香り指数で表される）を反映した値である。賦香製品から揮散される香りは、大気の流動がない場合、基本的には賦香製品の配置位置から遠ざかるほど大気による希釈率が高くなるため、賦香製品から揮散される香りの強さを反映する賦香指数もそれに応じて小さくなる。実際の建物内の空間では、ドアの開閉、換気等による大気の流動が起こる。このため、賦香指数は、賦香製品の香り指数と、当該賦香製品の建物内の配置位置と、当該建物内の空間情報等を考慮して、当該建物内の個々の区画における大気による希釈率から求めることが必要となる。建物内の個々の区画において香りがどのように希釈されるかについては、例えば、構造格子系汎用三次元熱流体解析システムＳＴＲＥＡＭ（登録商標）等のコンピュータプログラムを使って、シミュレートすることができる。
【００２５】
シミュレーションを行う場合には、例えば、空間情報として、空間や区画の広さ等、空気の流入箇所、空気の流出箇所等の間取り情報、換気回数及び室温等の環境情報等を入力してもよい。また、香りの設定条件に関する情報（以下、「香気情報」ともいう）として、少なくとも香気成分濃度又は香り指数、香気成分の揮散量（単位時間あたりに揮散する量）、香気成分の質量、香気成分の密度、及び香気成分の拡散係数を入力してもよい。また香気情報には、賦香製品の位置情報も含まれる。当該賦香製品の位置情報は香り揮散の起点になる。ここで賦香製品の位置情報としては、例えば、賦香製品において香料組成物を担持した基材が外に露出して外気と接している場合はその露出表面積、及びその露出部分の空間における位置座標（例えば、座標はｘ，ｙ，ｚで表され、ｙ軸を高さ方向とする場合、ｘ軸とｚ軸はｙ軸と直交し、かつｚ軸はｘ軸に直交する）が含まれる。なお、被験香料組成物は通常、複数の香料成分の組み合わせからなるため、前述する香気情報のうち、香料組成物の質量、香料組成物の密度及び拡散係数を算出することは難しい場合がある。この場合は、香料組成物の質量及び密度に代えて空気の質量及び密度を、また拡散係数としてアンモニアなどの他の気体の拡散係数を代用してもよい。賦香指数は、空間情報と香気情報とに基づいて、コンピュータプログラムによってシミュレートされ、空間内の各位置の賦香指数を視覚情報として示すデータが、賦香製品の賦香指数に応じた範囲を表示するためのデータとして生成される。また、香気情報および空間情報からどこまで拡散するか判定するため、ユーザーの生活空間における賦香製品を配置する適切な位置についても確認することができる。
【００２６】
例えば表１に示すように、シミュレーションによって算出される単位空間（例えば、部屋等の賦香製品が配置された区画）の特定位置における香料組成物の存在量（ｍｇ）を賦香指数に置き換え、置き換えた賦香指数の値に基づいて等値線を引いたものである。このように、建物の区画情報（例えば、建物の間取り図）上に、賦香製品の配置場所、及びその周辺領域における賦香指数を等値線にて反映すると、建物内における賦香製品から揮散される香りの強さを、賦香指数の分布として表示することができる。
【００２７】
【表１】
2020071748.tif 000003
【００２８】
例えば、図３では、空間の各点における賦香指数について、同じ賦香指数を示す範囲に等値線を張ることで、賦香指数の分布を賦香指数に応じた範囲の視覚情報として示している。図３には、賦香製品の配置位置２が示されているが、賦香製品の配置位置２の表示は任意である。図３では、賦香製品の配置位置２の近くに位置する出入り口Ｄ１から大気の流入があり、リビングダイニングＬＤとキッチンＫとの間の出入り口Ｄ２から大気が流出する。このような空間におけるシミュレーションでは、賦香指数が最も高い場所（賦香製品から揮散された香りがもっとも強い場所）は、賦香製品の配置位置２とずれることが示されている。このように賦香指数の分布は、賦香製品の配置位置２や、出入り口Ｄ１や出入り口Ｄ２の位置といった間取り（区画情報）からのみでは必ずしも正確に予測することはできない。空間における賦香指数の分布を正確に予測するために、さらに大気の流れといった空間情報を加味して実際にシミュレーションすることが必要となる。
【００２９】
図４から図７に賦香指数の分布を賦香指数に応じた範囲の視覚情報として示す際のバリエーションを示す。図４から図７では、便宜上、区画１内に賦香製品の配置位置からヒトが認知可能な香りの下限濃度（「認知閾値」とも言う）に相当する賦香指数を示す位置４までの範囲３（認知可能範囲３）を円形で示している。図４において位置４は、認知可能範囲３とその範囲外の境界となる賦香指数を示す範囲に等値線（点線）が張られ、認知可能範囲３は、グレーで示されているが、これに制限されない。このパターンでは、賦香指数に応じた範囲が、賦香製品の配置位置から認知閾値の賦香指数までを示す香りの認知可能範囲として示され、前記認知可能範囲が他の範囲と識別可能に表示される。
【００３０】
図５（ａ）は、認知可能範囲３を等値線のみで示す例である。等値線のパターンは実線、破線等であってもよい。図５（ｂ）は、特定の同じ賦香指数を示す地点４までの範囲を、賦香指数の程度（例えば、値の大小）によらず、単色で着色して示す例である。ここで、色には白及び黒を含むものとする。また、図５（ｃ）は、特定の同じ賦香指数を示す地点４までの範囲を、賦香指数の程度に依存しない複数の色で着色されて表示される例、例えばハッチングで示す例である。図５（ｂ）及び図５（ｃ）は、等値線を張っていないが、等値線と組み合わせてもよい。
【００３１】
図６（ａ）から図６（ｃ）は、認知可能範囲３について、認知可能範囲を賦香指数に応じた色の濃さで着色する例である。このパターンは、賦香指数の値に応じて段階的な色調で着色して範囲を示す例である。図６（ａ）は、第１の賦香指数を示す範囲である第１の等値線５ａと、第１の賦香指数よりも小さい第２の賦香指数を示す範囲である第２の等値線５ｂと、認知可能範囲３とその範囲外の境界となる第３の賦香指数を示す範囲である第３の等値線５ｃとで表されている。図６（ｂ）は、第１の賦香指数を示す範囲である第１の等値線５ａと、第１の賦香指数よりも小さい第２の賦香指数を示す範囲である第２の等値線５ｂと、認知可能範囲３とその範囲外の境界となる第３の賦香指数を示す範囲である第３の等値線５ｃとで表されている。さらに、賦香製品の配置位置２から第１の等値線５ａまでの第１の範囲６ａと、第１の等値線５ａから第２の等値線５ｂまでの第２の範囲６ｂと、第２の等値線５ｂから第３の等値線５ｃまでの第３の範囲６ｃが、賦香指数の値が小さくなるにつれ、淡く着色されるようにグラデーションで表されている。これはそれぞれの範囲が同じ賦香指数であるか、同程度の賦香指数であることを意図している。図６（ｃ）は、図６（ｂ）の例から等値線５ａ，５ｂ，５ｃを除いた例である。図５及び図６において、賦香製品の配置位置２の表示は任意である。
【００３２】
賦香指数に応じた範囲は、例えば、賦香製品を配置してからの時間に応じて、賦香製品が配置された区画内の換気の状況やドアの開閉等に応じて、気温の変化等に応じて時系列で示されてもよい。時系列で賦香指数に応じた範囲を示す場合、静止画を切り替えてもよいが、動画で表示してもよい。
【００３３】
本実施形態の別の態様として、賦香製品が消臭効果を示す場合、消臭効果を示す消臭指数の範囲を賦香指数に応じた範囲と共に空間情報上に表示してもよい。消臭効果は、賦香製品が消臭成分を含む場合の消臭効果でもよく、賦香製品用香料成分によるマスキング消臭による効果であってもよい。消臭効果は、例えば、賦香製品から揮散される芳香空気（消臭成分を含んでも良い）と悪臭空気とを混合し、悪臭空気のみの臭気強度からの臭気強度の低下、もしくは悪臭臭気のみの臭気指数からの臭気指数の低下を確認することによって評価することができる。臭気強度、もしくは臭気指数の低下した数値を消臭指数として用いることで、空間情報上に賦香製品の消臭効果範囲を表示することができる。
【００３４】
消臭効果も香りと同様に賦香製品から離れるにしたがって希釈される。消臭効果がどのように希釈されるかについては、香りの場合と同様に、構造格子系汎用三次元熱流体解析システムＳＴＲＥＡＭ（登録商標）等のコンピュータプログラムを使って、シミュレートし、視覚情報に変換することができる。
【００３５】
賦香製品の賦香指数に応じた範囲を表示するためのデータは、データの生成後に後述する表示デバイス１０の処理部１０１が自動的に表示してもよいが、ヒトがマニュアルで表示デバイス１０に前記データの表示を開始する指令を与え表示してもよい。
【００３６】
２．表示デバイス・表示システム
本発明のある実施形態は、上記表示方法により生成された賦香製品の賦香指数に応じた範囲を表示するためのデータに基づいて、建物内の空間情報上に、前記建物内のいずれかの区画に配置された賦香製品の賦香指数に応じた範囲を表示する表示デバイス１０に関する。また、表示デバイス（表示装置）１０は、建物内の空間情報上に、前記建物内のいずれかの区画に配置された賦香製品の賦香指数に応じた範囲を表示するためのデータを生成する処理デバイス（演算装置）２０と、表示システム１０００を構成してもよい。
【００３７】
２−１．表示システムのハードウェア構成
図７に、表示デバイス１０と、処理デバイス２０の概略図を含む、表示システム１０００の構成例を示す。表示デバイス１０には、前記データを表示するための出力部１１２が接続される。また、表示デバイス１０には、ヒトが表示デバイス１０に入力を行うための入力部１１１が接続されていてもよい。処理デバイス２０には、空間情報上に賦香製品の賦香指数に応じた範囲を表示するための出力部２１２が接続される。また、処理デバイス２０には、ヒトが処理デバイスに入力を行うための入力部２１１が接続されていてもよい。表示システム１０００において、表示デバイス１０と処理デバイス２０はネットワーク９９を介して接続されている。ネットワーク９９は、有線であっても無線であってよい。
【００３８】
図８に表示デバイス１０のブロック図を示す。表示デバイス１０は、入力部１１１と、出力部１１２と、記憶媒体１１３とに接続されていてもよい。
【００３９】
表示デバイス１０において、処理部１０１と、主記憶部１０２と、ＲＯＭ（ｒｅａｄ  ｏｎｌｙ  ｍｅｍｏｒｙ）１０３と、補助記憶部１０４と、通信インタフェース（Ｉ／Ｆ）１０５と、入力インタフェース（Ｉ／Ｆ）１０６と、出力インタフェース（Ｉ／Ｆ）１０７と、メディアインターフェース（Ｉ／Ｆ）１０８は、バス１０９によって互いにデータ通信可能に接続されている。主記憶部１０２と補助記憶部１０４とを合わせて、単に記憶部と呼ぶこともある。記憶部は、生成されたデータや、後述するアプリケーションプログラムを記憶する。
【００４０】
処理部１０１は、表示デバイス１０のＣＰＵである。処理部１０１は、ＧＰＵであってもよい。処理部１０１が、補助記憶部１０４又はＲＯＭ１０３に記憶されているコンピュータプログラムを実行し、取得されるデータの処理を行うことにより、表示デバイス１０が機能する。
【００４１】
ＲＯＭ１０３は、マスクＲＯＭ、ＰＲＯＭ、ＥＰＲＯＭ、ＥＥＰＲＯＭなどによって構成され、処理部１０１により実行されるコンピュータプログラム及びこれに用いるデータが記録されている。処理部１０１はＭＰＵ１０１としてもよい。ＲＯＭ１０３は、表示デバイス１０の起動時に、処理部１０１によって実行されるブートプログラムや表示デバイス１０のハードウェアの動作に関連するプログラムや設定を記憶する。
【００４２】
主記憶部１０２は、ＳＲＡＭ又はＤＲＡＭなどのＲＡＭ（Ｒａｎｄｏｍ  ａｃｃｅｓｓ  ｍｅｍｏｒｙ）によって構成される。主記憶部１０２は、ＲＯＭ１０３及び補助記憶部１０４に記録されているコンピュータプログラムの読み出しに用いられる。また、主記憶部１０２は、処理部１０１がこれらのコンピュータプログラムを実行するときの作業領域として利用される。
【００４３】
補助記憶部１０４は、ハードディスク、フラッシュメモリ等の半導体メモリ素子、光ディスク等によって構成される。補助記憶部１０４には、オペレーティングシステム及びアプリケーションプログラムなどの、処理部１０１に実行させるための種々のコンピュータプログラム及びコンピュータプログラムの実行に用いる各種設定データが不揮発性に記憶されている。
【００４４】
通信Ｉ／Ｆ１０５は、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェース、ネットワークインタフェースコントローラ（Ｎｅｔｗｏｒｋ  ｉｎｔｅｒｆａｃｅ  ｃｏｎｔｒｏｌｌｅｒ：ＮＩＣ）等から構成される。通信Ｉ／Ｆ１０５は、処理部１０１の制御下で、処理デバイス２０と通信してもよい。
【００４５】
入力Ｉ／Ｆ１０６は、例えばＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェースなどから構成される。入力Ｉ／Ｆ１０６は、入力部１１１から文字入力、クリック、音声入力等を受け付ける。受け付けた入力内容は、主記憶部１０２又は補助記憶部１０４に記憶される。
【００４６】
入力部１１１は、タッチパネル、キーボード、マウス、ペンタブレット、マイク等から構成され、表示デバイス１０に文字入力又は音声入力を行う。入力部１１１は、表示デバイス１０の外部から接続されても、表示デバイス１０と一体となっていてもよい。
【００４７】
出力Ｉ／Ｆ１０７は、例えば入力Ｉ／Ｆ１０６と同様のインタフェースから構成される。出力Ｉ／Ｆ１０７は、処理部１０１が生成した情報を出力部１１２に出力する。出力Ｉ／Ｆ１０７は、処理部１０１が生成し、補助記憶部１０４に記憶した情報を、出力部１１２に出力する。
【００４８】
出力部１１２は、例えばディスプレイ、プリンター等で構成され、賦香製品の香り指数に基づく、香りの認知可能範囲を空間情報上に表示する。ディスプレイには、パーソナルコンピュータ等に接続可能なモニタ、タブレット端末の表示部、テレビの表示部等を含む。
【００４９】
入力部１１１及び出力部１１２は、タブレット端末として一体化されていてもよい。この場合表示デバイス１０は、ネットワークを介して、タブレット端末にインストールされたブラウザソフトに、空間情報と、賦香指数に応じた範囲を表示する。
【００５０】
メディアＩ／Ｆ１０８は、記憶媒体１１３に記憶された例えばアプリケーションソフト等を読み出す。読み出されたアプリケーションソフト等は、主記憶部１０２又は補助記憶部１０４に記憶される。また、メディアＩ／Ｆ１０８は、処理部１０１が生成した情報を記憶媒体１１３に書き込む。メディアＩ／Ｆ１０８は、処理部１０１が生成し、補助記憶部１０４に記憶した情報を、記憶媒体１１３に書き込む。
【００５１】
記憶媒体１１３は、フレキシブルディスク、ＣＤ−ＲＯＭ、又はＤＶＤ−ＲＯＭ等で構成される。記憶媒体１１３は、フレキシブルディスクドライブ、ＣＤ−ＲＯＭドライブ、又はＤＶＤ−ＲＯＭドライブ等によってメディアＩ／Ｆ１０８と接続される。記憶媒体１１３には、コンピュータがオペレーションを実行するためのアプリケーションプログラム等が格納されていてもよい。
【００５２】
処理部１０１は、表示デバイス１０の制御に必要なアプリケーションソフトや各種設定をＲＯＭ１０３又は補助記憶部１０４からの読み出しに代えて、ネットワークを介して取得してもよい。前記アプリケーションプログラムがネットワーク上のサーバコンピュータの補助記憶部内に格納されており、このサーバコンピュータに表示デバイス１０がアクセスして、コンピュータプログラムをダウンロードし、これをＲＯＭ１０３又は補助記憶部１０４に記憶することも可能である。
【００５３】
また、ＲＯＭ１０３又は補助記憶部１０４には、例えば米国マイクロソフト社が製造販売するＷｉｎｄｏｗｓ（登録商標）などのグラフィカルユーザーインタフェース環境を提供するオペレーションシステムがインストールされている。第２の実施形態に係るアプリケーションプログラムは、前記オペレーティングシステム上で動作するものとする。すなわち、表示デバイス１０は、パーソナルコンピュータ等であり得る。
【００５４】
２−２．処理デバイスのハードウェア構成
処理デバイス２０のハードウェアの構成は、表示デバイス１０のハードウェア構成と同様である。処理デバイス２０については、表示デバイス１０の処理部１０１、主記憶部１０２、ＲＯＭ１０３、補助記憶部１０４、通信Ｉ／Ｆ１０５、入力Ｉ／Ｆ１０６、入力部１１１、出力Ｉ／Ｆ１０７、出力部１１２、メディアＩ／Ｆ１０８、バス１０９、記憶媒体１１３を、処理部２０１、主記憶部２０２、ＲＯＭ２０３、補助記憶部２０４、通信Ｉ／Ｆ２０５、入力Ｉ／Ｆ２０６、入力部２１１、出力Ｉ／Ｆ２０７、出力部２１２、メディアＩ／Ｆ２０８、バス２０９、記憶媒体２１３と読み替えるものとする。
【００５５】
２−２．表示システムの動作
図９に、表示システム１０００の動作の例を示す。表示システム１０００では、上記表示方法で述べた方法に従って、処理デバイス２０が、建物内の空間情報上に、賦香製品の香り指数に基づく、香りの認知可能範囲を表示するためのデータの生成処理を行い、表示デバイス１０が前記データの表示処理を行う。
【００５６】
処理デバイス２０の処理部２０１は、オペレータ（例えば、賦香製品の開発者）からの処理開始の入力を入力部２１１から受け付け、賦香製品の香り指数に基づく、香りの認知可能範囲を表示するためのデータの生成処理を開始する。
【００５７】
ステップＳ１１において、処理部２０１は、オペレータによる入力部２１１からの表示対象となる賦香製品の香り指数の入力を受け付けるか、記憶部に記憶されている表示対象となる賦香製品の香り指数を読み出すことで、前記香り指数を取得する。
【００５８】
続いて、ステップＳ１２において、処理部２０１は、空間情報と香気情報を取得する。この情報の取得は、オペレータによる入力部２１１からの入力を受け付けることによって行ってもよく、記憶部に記憶されている情報を読み出すことで取得してもよい。
【００５９】
続いて、ステップＳ１３において、処理部２０１は、ステップＳ１１で取得した賦香製品の香り指数とステップＳ１２で取得した空間情報と香気情報とに基づいて対象となる空間における賦香指数を算出する。
【００６０】
続いて、ステップＳ１４において、処理部２０１は、賦香製品の賦香指数に応じた範囲を表示するためのデータを生成する。
【００６１】
続いて、ステップＳ１５において、処理部２０１は、通信Ｉ／Ｆ２０５を介して、生成したデータを表示デバイス１０に送信する。
【００６２】
表示デバイス１０の処理部１０１は、ステップＳ２１において通信Ｉ／Ｆ１０５を介して、処理デバイス２０から送信されたデータを受信する。
【００６３】
続いて処理部１０１は、ステップＳ２２において出力部１１２にデータを出力し、データを視覚化する。
【００６４】
ここで、ステップＳ１１とステップＳ１２を行う順番は逆であってもよい。また処理デバイス２０の処理部２０１は、ステップＳ１４において生成したデータを記憶媒体２１３に出力するか、補助記憶部２０４に記憶してもよい。
【００６５】
表示デバイス１０は、ステップＳ２１において、処理デバイス２０からデータを受信する代わりに、メディアＩ／Ｆ１０８を介して、記憶媒体１１３からデータを読み込んでもよい。
【００６６】
２−３．表示デバイスの動作の別実施形態
表示デバイス１０は、単独で賦香製品の香り指数に基づく、香りの認知可能範囲を表示するためのデータと生成処理と表示処理を行ってもよい。
【００６７】
表示デバイス１０の処理部１０１は、オペレータ（例えば、賦香製品の開発者）からの処理開始の入力を入力部２１１から受け付け、賦香製品の香り指数に基づく、香りの認知可能範囲を表示するためのデータの生成処理を開始する。
【００６８】
ステップＳ３１において、処理部１０１は、オペレータによる入力部１１１からの表示対象となる賦香製品の香り指数の入力を受け付けるか、記憶部に記憶されている表示対象となる賦香製品の香り指数を読み出すことで、前記香り指数を取得する。
【００６９】
続いて、ステップＳ３２において、処理部１０１は、空間情報と香気情報を取得する。この情報の取得は、オペレータによる入力部１１１からの入力を受け付けることによって行ってもよく、記憶部に記憶されている情報を読み出すことで取得してもよい。
【００７０】
続いて、ステップＳ３３において、処理部１０１は、ステップＳ３１で取得した賦香製品の香り指数とステップＳ３２で取得した空間情報と香気情報とに基づいて対象となる空間における賦香指数を算出する。
【００７１】
続いて、ステップＳ３４において、処理部１０１は、賦香製品の香り指数に基づく、香りの認知可能範囲を表示するためのデータを生成する。
【００７２】
続いて、ステップＳ１５において、出力部１１２にデータを出力し、データを視覚化する。
【００７３】
ここで、ステップＳ３１とステップＳ３２を行う順番は逆であってもよい。また処理部１０１は、ステップＳ１４において生成したデータを記憶媒体１１３に出力するか、補助記憶部１０４に記憶してもよい。
【００７４】
３．コンピュータプログラム
本開示のある実施形態は、コンピュータプログラムに関する。
前記コンピュータプログラムは、図９に記載のステップＳ１１〜Ｓ１５、又はステップ２１及びステップ２２に記載の処理をコンピュータに実行させるアプリケーションプラグラムである。あるいは、コンピュータプログラムは、図１０に記載のステップＳ３１〜Ｓ３５に記載の処理をコンピュータに実行させるアプリケーションプラグラムである。
【００７５】
さらに、本開示のある実施形態は、前記コンピュータプログラムを記憶した、記憶媒体に関する。すなわち、前記コンピュータプログラムは、ハードディスク、フラッシュメモリ等の半導体メモリ素子、光ディスク等の記憶媒体に記憶される。前記記憶媒体へのプログラムの記憶形式は、前記提示装置が前記プログラムを読み取り可能である限り制限されない。前記記憶媒体への記憶は、不揮発性であることが好ましい。
【符号の説明】
【００７６】
表示デバイス１０
処理デバイス２０
表示システム１０００
【図１】
2020071748.tif 000004
【図２】
2020071748.tif 000005
【図３】
2020071748.tif 000006
【図４】
2020071748.tif 000007
【図５】
2020071748.tif 000008
【図６】
2020071748.tif 000009
【図７】
2020071748.tif 000010
【図８】
2020071748.tif 000011
【図９】
2020071748.tif 000012
【図１０】
2020071748.tif 000013